(57)【要約】【課題】封止管に装着された口金を備え、該口金は、前記封止管に被嵌される有底円筒状本体部と、該本体部の底部から突出するロウ付け用ピン部とを有し、前記封止管から突出するリード線が前記口金のピン部に接続されてなる口金付きショートアーク型放電ランプにおいて、ロウ付け用ピン部とリード線とのロウ付け接続を強化なものとしたままで、口金全体の軽量化を図る構造を提供することである。【解決手段】前記口金の本体部が、アルミニウム（Ａｌ）からなり、前記ロウ付け用ピン部が、銅（Ｃｕ）と亜鉛（Ｚｎ）の合金からなるとともに、前記本体部に対して一体的に鋳包み成型されていることを特徴とする。【選択図】    図１
2015076257.tif 000002
【特許請求の範囲】
【請求項１】
発光空間を形成する発光管と、該発光管の両端に形成された封止管と、該封止管に装着された口金とを備え、該口金は、前記封止管に被嵌される有底円筒状本体部と、該本体部の底部から突出するロウ付け用ピン部とを有し、前記封止管から突出するリード線が前記口金のロウ付け用ピン部に接続されてなる口金付きショートアーク型放電ランプにおいて、
前記口金の本体部が、アルミニウム（Ａｌ）からなり、
前記ロウ付け用ピン部が、銅（Ｃｕ）と亜鉛（Ｚｎ）の合金からなるとともに、前記本体部に対して一体的に鋳包み成型されていることを特徴とする口金付きショートアーク型放電ランプ。
【請求項２】
前記ロウ付け用ピン部が、径方向に突出したフランジ部を有することを特徴とする請求項１に記載の口金付きショートアーク型放電ランプ。
【請求項３】
前記フランジ部の全体が前記本体部内に埋設するように鋳包みされていることを特徴とする請求項２に記載の口金付きショートアーク型放電ランプ。
【発明の詳細な説明】
【技術分野】
【０００１】
この発明は口金付きショートアーク型放電ランプに関し、特に、口金の軽量化を図った口金付きショートアーク型放電ランプに係わるものである。
【背景技術】
【０００２】
従来から、半導体基板や液晶ディスプレイ用の液晶基板を露光するのに使用される露光装置の紫外線光源として、水銀を封入したショートアーク型放電ランプが多用されている。
この種のショートアーク型放電ランプにおいては、封止管の端部に口金が装着された口金付きショートアーク型放電ランプが採用されている。
特開平０９−４５２２７号公報（特許文献１）などがそれであって、その概略構造が図６、図７に示されている。
【０００３】
図６に示すように、ショートアーク型放電ランプの封止部２１の端部には、口金２２が被嵌されている。
図７にその構造が示されていて、口金２２は、有底円筒状本体部２３と、その底部２３ａに突設されたロウ付け用ピン部２４の一体構造からなり、封止部２１の端部に被嵌されて、接着剤２５によってこれに固定されている。
封止部２１から突出するリード線２６が前記ロウ付け用ピン部２４を貫通し、その外端部においてロウ付け２７によってピン部２４に接続固定されている。
前記リード線２６は、通常、銅の撚り線からなり、その外端部において、銅系のロウ材などにより前記ピン部２４にロウ付け固定される。そのため、ピン部２４を含む口金２２はロウ付けに耐えうる材料、例えば真鍮などにより構成されている。
【０００４】
ところで、昨今では、この種の露光装置用ショートアーク型放電ランプは、ランプが大型化しており、総重量が増加してきている。そのため、ランプの軽量化の要請が課題となっている。
とりわけ、この種のランプが管軸方向に延びる構造であって、力のモーメントに対する影響が大きい端部構造、即ち、口金の軽量化がそのカギを握っている。ただ、露光装置用のショートアーク型放電ランプは、高温、高電流などの過酷な環境におかれるため、単純に軽い材料に変更するというわけにはいかない。また、リード線とのロウ付け接合に適した材料を選択しなければならないという課題もある。
【先行技術文献】
【特許文献】
【０００５】
【特許文献１】特開平０９−４５２２７号公報
【発明の概要】
【発明が解決しようとする課題】
【０００６】
上記従来技術の問題点に鑑みて、この発明が解決しようとする課題は、発光空間を形成する発光管と、該発光管の両端に形成された封止管と、該封止管に装着された口金とを備え、該口金は、前記封止管に被嵌される有底円筒状本体部と、該本体部の底部から突出するロウ付け用ピン部とを有し、前記封止管から突出するリード線が前記口金のピン部に接続されてなる口金付きショートアーク型放電ランプにおいて、ロウ付け用ピン部とリード線とのロウ付け接続を強化なものとしたままで、口金の軽量化を図る構造を提供することである。
【課題を解決するための手段】
【０００７】
上記課題を解決するために、この発明に係るショートアーク型放電ランプでは、前記口金の本体部が、アルミニウム（Ａｌ）からなり、前記ロウ付け用ピン部が、銅（Ｃｕ）と亜鉛（Ｚｎ）の合金からなるとともに、前記本体部に対して一体的に鋳包み成型されていることを特徴とする。
また、前記ロウ付け用ピン部が、径方向に突出したフランジ部を有することを特徴とする。
また、前記フランジ部の全体が前記本体部内に埋設するように鋳包みされていることを特徴とする。
【発明の効果】
【０００８】
この発明によれば、口金の本体部をアルミニウムとすることで全体の軽量化を達成し、ロウ付け用ピン部を銅と亜鉛の合金として、前記本体部と一体に鋳包み成形することで、リード線とのロウ付け接続を強固なものとすることができるという効果を奏するものである。
また、前記ピン部位にフランジ部を設けたので、本体部との一体化はより強固なものとなる。
特に、フランジ部全体を本体部内に鋳包み成型すると、更に強固に一体化される。
【図面の簡単な説明】
【０００９】
【図１】本発明の口金付きショートアーク型放電ランプの端部の断面図
【図２】本発明の口金の成型方法の説明図
【図３】本発明の放電ランプを露光装置に取り付けた時の部分断面図
【図４】本発明の他に実施例の断面図
【図５】本発明の更に他の実施例の断面図
【図６】従来の口金付きショートアーク型放電ランプの全体図
【図７】従来の口金構造を示す断面図
【発明を実施するための形態】
【００１０】
図１において、ランプの封止管１に被嵌固定される口金２は、円筒部３ａと底部３ｂとからなる円筒状本体部３と、その底部３ｂに固定的に突設されたロウ付け用ピン部４とからなる。本体部３はアルミニウム（Ａｌ）により構成されていて、口金全体の軽量化に寄与する。ロウ付け用ピン部４は、銅（Ｃｕ）と亜鉛（Ｚｎ）との合金、即ち、真鍮（黄銅ともいう）によって構成され、前記本体部３の底部３ｂに鋳包み成型されて一体化されている。
この口金２は封止管１に被嵌されて、接着剤５によって固定される。そして封止管１から突出するリード線６は、ピン部４を貫通して、その外端部においてロウ付け７により接続固定されている。
【００１１】
本発明の口金の製造方法を図２に基づいて説明する。
まず、本体部を形成する中空部１１を有する鋳型１０を用意し、その内部にロウ付け用ピン部を構成する真鍮製のピン部用部材１２を中子として配置する。これに鋳込み口１３から溶融したアルミニウムを中空部１１に注入する（Ａ）。
これにより、アルミニウム製の円筒状本体部３に真鍮製のピン用部材１２が一体的に鋳包みされた形状ができる（Ｂ）。
次いで、ピン用部材１２を切削加工して貫通孔１２ａを穿設し、口金２が成形される（Ｃ）。
【００１２】
このような口金付きショートアーク型放電ランプは、露光装置に取り付けるときは、図３に示すように、口金２の本体部３の円筒部３ａが露光装置側のランプ保持・給電部材１５によって把持される構造となっている。
ランプへの給電はこの保持・給電部材１５を介して行われ、口金２の本体部３の円筒部３ａ→底部３ｂ→ロウ付け用ピン部４→リード線６を経る給電パスによってランプに給電される。
このとき、口金２の本体部３とピン部４が鋳包み成形されていることから、その密着度が高く、本体部３からピン部４への電気抵抗が、図７に示す従来の一体成型品と殆ど変らず、電気的ロスが殆どない。
【００１３】
図４に他の実施例が示されていて、この例では、ロウ付け用ピン部４のランプ側の端部には径方向に突出したフランジ部４ａが形成されている。こうすることで、ピン部４が軸方向に移動したり、抜け出たりすることがない。
また、更に他の実施例が図５に示されていて、前記したピン部４のフランジ部４ａの全体が本体部３の底部３ａ内に埋設されるように鋳包みされている。こうすることで、ロウ付け用ピン部４はより一層強固に円筒状本体部３に固定される。
【００１４】
以上説明したように、本発明では、封止管の端部に口金が装着されてなる口金付きショートアーク型放電ランプにおいて、前記口金の円筒状本体部が、アルミニウム（Ａｌ）からなり、前記ロウ付け用ピン部が、銅（Ｃｕ）と亜鉛（Ｚｎ）の合金からなるとともに、前記本体部に対して一体的に鋳包み成型されているので、口金の体積の大部分を占める本体部をアルミニウムにより構成して、口金全体を軽量化することができるとともに、ロウ付け用ピン部を真鍮により構成するので、リード線とのロウ付け接続を確実なものとすることができる。
しかも、本体部とピン部とは鋳包み成型されているので、その接続が強固であるとともに、密着度が高く、本体部からピン部への電力損失を低減できる。
【符号の説明】
【００１５】
１      （ランプの）封止管
２      口金
３      円筒状本体部（アルミニウム）
３ａ    円筒部
３ｂ    底部
４      ロウ付け用ピン部
４ａ    フランジ部
５      接着剤
６      リード線
７      ロウ付け
１０    鋳型
１１    中空部
１２    ピン部用部材（真鍮）
１５    （露光装置の）ランプ保持・給電部材
【図１】
2015076257.tif 000003
【図２】
2015076257.tif 000004
【図３】
2015076257.tif 000005
【図４】
2015076257.tif 000006
【図５】
2015076257.tif 000007
【図６】
2015076257.tif 000008
【図７】
2015076257.tif 000009